(57)【要約】      （修正有）【課題】横方向で隣り合って位置する商品陳列棚の間に仕切体を設けた場合、商品が商品陳列棚からはみ出した場合でも陳列可能にする。【解決手段】前面に開口２が形成されるとともに内部に陳列室１４が形成されたショーケース本体３と、ショーケース本体に横方向に並んで設けられて開口２を開閉する開閉可能な複数の扉４と、陳列室内に扉の横幅と略同じ横幅を有して扉の奥側に配置された複数の商品陳列棚１５とを有し、扉の内側面と商品陳列棚の扉側先端部との間に空間１６を有するリーチインショーケース１において、横方向で隣り合って位置する商品陳列棚の間に配置されて陳列室を扉ごとの複数の区画に仕切る仕切体１７を有し、仕切体は、可撓性を有する部材により形成され、仕切体の扉側の端部は、空間を扉ごとの複数の区画に仕切る位置まで延出し、仕切体には、商品陳列棚の扉側先端部の位置に沿って上下方向にスリット１９が形成されている。【選択図】図２
2015097560.tif 000002
【特許請求の範囲】
【請求項１】
前面に開口が形成されるとともに内部に陳列室が形成されたショーケース本体と、前記ショーケース本体に横方向に並んで設けられ、前記開口を開閉する開閉可能な複数の扉と、前記陳列室内に前記扉の横幅と略同じ横幅を有して前記扉の奥側に配置された複数の商品陳列棚とを有し、前記扉の内側面と前記商品陳列棚の扉側先端部との間に空間を有するリーチインショーケースにおいて、
横方向で隣り合って位置する前記商品陳列棚の間に配置されて前記陳列室を前記扉ごとの複数の区画に仕切る仕切体を有し、
前記仕切体は、可撓性を有する部材により形成され、
前記仕切体の前記扉側の端部は、前記空間を前記扉ごとの複数の区画に仕切る位置まで延出し、
前記仕切体には、前記商品陳列棚の扉側先端部の位置に沿って上下方向にスリットが形成されていることを特徴とするリーチインショーケース。
【請求項２】
前記仕切体は、透明な部材により形成されていることを特徴とする請求項１記載のリーチインショーケース。
【請求項３】
前記仕切体は、帯電防止処理が施されていることを特徴とする請求項１又は２記載のリーチインショーケース。
【請求項４】
前記仕切体は、上端側が固定され、下端側が揺動可能とされていることを特徴とする請求項１ないし３のいずれか一記載のリーチインショーケース。
【発明の詳細な説明】
【技術分野】
【０００１】
本発明は、スーパーマーケットやコンビニエンスストア等に設置されて商品を陳列販売するために用いられ、前面に開閉可能な扉を備えた冷気循環式のリーチインショーケースに関する。
【背景技術】
【０００２】
従来、スーパーマーケットやコンビニエンスストア等の店舗では、冷凍食品や生鮮食品を陳列するための冷気循環式のショーケースが使用されている。このようなショーケースとしては、陳列室の前面が開放されたオープンショーケース（下記特許文献１参照）と、陳列室の前面に開閉可能な扉が設けられたリーチインショーケース（下記特許文献２参照）とが知られている。
【０００３】
リーチインショーケースにおいては、扉を開いた場合に陳列室内への外気の流入を極力抑えることが望ましい。例えば、リーチインショーケースに横方向に並んで複数の扉が設けられている場合、リーチインショーケース内の陳列室を各扉ごとの複数の区画に仕切っておき、一つの扉を開放した場合にはその扉により開閉される区画内にのみ外気が流入するようにし、他の区画には外気が流入しないようにすることが望ましい。
【０００４】
リーチインショーケース内の陳列室を各扉ごとの複数の区画に仕切る方法としては、例えば、下記特許文献１に記載されているようなアクリル等の硬質材料で形成した透明な仕切板を陳列室内に取付けることが行われている。
【先行技術文献】
【特許文献】
【０００５】
【特許文献１】特開平６−１８５８５３号公報
【特許文献２】特開２００９−２７９１３３号公報
【発明の概要】
【発明が解決しようとする課題】
【０００６】
しかしながら、上述した硬質材料の仕切板を陳列室内に取付けた場合、各区画内に設けられている商品陳列棚に商品を陳列するときに、商品のサイズや数量の関係で仕切板に商品が当たる状態になると商品を陳列できなくなるので、商品陳列棚に陳列する商品の数を減らしたり、商品を別の商品陳列棚に移動したりしなければならない。
【０００７】
なお、各商品陳列棚から商品がはみ出しても陳列できるようにするため、陳列室を各扉ごとの複数の区画に仕切る仕切板に代えて、商品陳列棚の側方に小型の仕切板を横方向に移動可能に取付けたものもある。
【０００８】
しかしその場合には、一つの扉を開いたときに陳列室内全体に多量の外気が流入するようになる。外気には陳列室内の冷気に比べて多量の水分が含まれているため、多量の外気が陳列室内に流入することにより、冷却器への着霜や、商品への着霜が発生する。
【０００９】
扉の開閉が原因となる冷却器への着霜が発生すると、除霜のために冷却器を停止させる頻度が高くなり、陳列室内を適温に維持することが難しくなる。また、商品への着霜が発生すると、買い物客はその商品は古い商品であるとの印象を受けるので、商品の売れ行きが低下することになる。
【００１０】
本発明は、このような課題を解決するためになされたものであり、その目的は、横方向で隣り合って位置する商品陳列棚の間に仕切体を設けた場合において、商品陳列棚に陳列する商品がその商品陳列棚からはみ出した場合であっても陳列することができ、一つの扉を開放した場合における陳列室内への外気の流入を抑えることができるリーチインショーケースを提供することである。
【課題を解決するための手段】
【００１１】
本発明に係るリーチインショーケースは、前面に開口が形成されるとともに内部に陳列室が形成されたショーケース本体と、前記ショーケース本体に横方向に並んで設けられ、前記開口を開閉する開閉可能な複数の扉と、前記陳列室内に前記扉の横幅と略同じ横幅を有して前記扉の奥側に配置された複数の商品陳列棚とを有し、前記扉の内側面と前記商品陳列棚の扉側先端部との間に空間を有するリーチインショーケースにおいて、横方向で隣り合って位置する前記商品陳列棚の間に配置されて前記陳列室を前記扉ごとの複数の区画に仕切る仕切体を有し、前記仕切体は、可撓性を有する部材により形成され、前記仕切体の前記扉側の端部は、前記空間を前記扉ごとの区画に仕切る位置まで延出し、前記仕切体には、前記商品陳列棚の扉側先端部の位置に沿って上下方向にスリットが形成されている。
【００１２】
また、前述の本発明に係るリーチインショーケースにおいて、前記仕切体は、透明な部材により形成されていることが望ましい。
【００１３】
また、前述の本発明に係るリーチインショーケースにおいて、前記仕切体は、帯電防止処理が施されていることが望ましい。
【００１４】
また、前述の本発明に係るリーチインショーケースにおいて、前記仕切体は、上端側が固定され、下端側が揺動可能とされていることが望ましい。
【発明の効果】
【００１５】
本発明に係るリーチインショーケースによれば、横方向で隣り合って位置する商品陳列棚の間に配置されて陳列室を扉ごとの複数の区画に仕切る仕切体を有し、この仕切体は可撓性を有する部材により形成されているので、各区画内の商品陳列棚に載置された商品が仕切体に当たると仕切体が撓み、陳列する商品が商品陳列棚からはみ出した場合でもその商品を商品陳列棚に陳列することができる。また、仕切体の扉側先端部は、扉の内側面と商品陳列棚の扉側先端部との間の空間を扉ごとの区画に仕切る位置まで延出し、しかも、仕切体には商品陳列棚の扉側先端部の位置に沿って上下方向にスリットが形成されているので、陳列した商品が商品陳列棚からはみ出して仕切体に当たることにより仕切体が撓んでも、仕切体におけるスリットより扉側の部分であって空間を仕切る部分は撓むことなく垂直に保たれ、空間は仕切体により仕切られた状態に維持される。そのため、陳列棚の商品が仕切体に当たって仕切体が撓んだ状態となっているときに扉を開放しても、陳列室におけるその扉に対応する区画内に流入した外気が空間を通って他の区画に流入することを防止することができる。これにより、一つの扉を開放した場合に陳列室全体に流入する外気の量を抑制することができ、外気中に含まれている水分が原因となる冷却器への着霜や陳列されている商品への着霜を防止することができる。
【００１６】
また、仕切体が透明な部材により形成されているので、商品陳列棚に陳列されている商品の仕切体を通しての視認性を向上させることができる。
【００１７】
また、仕切体が帯電防止処理を施されているので、仕切体への埃の付着や付着した埃が原因となる仕切体への着霜を防止することができる。
【００１８】
また、仕切体は上端側が固定されて下端側が揺動可能とされているので、仕切体の取付構造を簡単なものとすることができる。
【図面の簡単な説明】
【００１９】
【図１】本発明の一実施形態のリーチインショーケースを示す斜視図である。
【図２】図１のリーチインショーケースを示す断面側面図である。
【図３】図１のリーチインショーケースを示す断面平面図である。
【図４】仕切体を示す側面図である。
【図５】陳列する商品が商品陳列棚からはみ出し、仕切体の一部が撓んだ状態を示す正面図である。
【発明を実施するための形態】
【００２０】
本発明の一実施形態について、図面に基づいて説明する。図１は、リーチインショーケース１の外観構成を示す斜視図である。リーチインショーケース１は、前面に開口２が形成された箱形状のショーケース本体３を有し、ショーケース本体３には開口２を開閉する一対のガラス扉４が横方向に並んで開閉可能に取付けられている。ショーケース本体３は、断熱材により形成されている。ガラス扉４には、このガラス扉４を開閉する場合に把持する取手５が設けられている。
【００２１】
図２は、リーチインショーケース１の内部構造を示す断面側面図である。ショーケース本体３の内側には、底面板６と背面板７と天井板８とが設けられ、これらの各板６、７、８とショーケース本体３との間に送風用のダクト９が形成されている。ダクト９内における天井板８の上部には、送風ファン１０と冷却器１１とが収容されている。ダクト９上部の開口２側の先端部には、冷却器１１により冷却された冷気が吹き出す吹出口１２が形成され、ダクト９下部の開口２側の先端部には吹出口１２から吹出した冷気がダクト９内に吸い込まれる吸込口１３が形成されている。
【００２２】
ショーケース本体３内には、各板６、７、８に囲まれたて商品が陳列される領域として陳列室１４が形成されている。この陳列室１４には、商品が陳列される複数の商品陳列棚１５が上下方向及び左右方向に配列されている。商品陳列棚１５の左右方向の配列状態は、後述する図３に示す。
【００２３】
陳列室１４内におけるガラス扉４の内側面と商品陳列棚１５の扉側先端部との間には、上下方向に連続して吹出口１２から吹出して吸込口１３に吸い込まれる冷気が流れる空間１６が設けられている。
【００２４】
陳列室１４内には、横方向で隣り合って位置する商品陳列棚１５の間に位置して仕切体１７が取付けられている。仕切体１７は、可撓性を有する軟質の透明材料、例えば、ポリ塩化ビニル（ＰＶＣ）で形成されている。
【００２５】
仕切体１７の上端部には硬質の樹脂からなる支持体１８が固定されており、この支持体１８が天井板８にネジ止め等されている。仕切体１７の下端部は底面板６の近傍まで延出され、揺動可能とされている。仕切体１７のガラス扉４の端部は、ガラス扉４の内側面に接近し、空間１６をガラス扉４ごとの２つの区画に仕切る位置まで延出している。また、この仕切体１７には、商品陳列棚１５の扉側先端部の位置に沿って上下方向にスリット１９が形成されている。仕切体１７は、このスリット１９を挟んで空間１６内に位置する前側部１７ａと、商品陳列棚１５の側方に位置する後側部１７ｂとに分けられている。
【００２６】
仕切体１７には、帯電防止処理が施されている。帯電防止処理の一例としては、仕切体１７の材料に、オレフィン系樹脂やスチレン系樹脂などの帯電防止剤を混合することが挙げられる。また、帯電防止処理の他の一例としては、仕切体１７の表面に帯電防止剤をコーティングすることが挙げられる。
【００２７】
図３は、リーチインショーケース１の内部構造を示す断面平面図である。陳列室１４内には上下複数段に配列された商品陳列棚１５が横方向に隣り合って左右２列に配列されている。これらの商品陳列棚１５は、ガラス扉４の横幅と略同じ横幅を有してガラス扉４の奥側に配置されている。そして、左右２列の商品陳列棚１５の間に仕切体１７が配置され、この仕切体１７により陳列室１４はガラス扉４ごとの２つの区画に仕切られている。
【００２８】
図４は、仕切体１７を示す側面図である。仕切体１７は、スリット１９によって前側部１７ａと後側部１７ｂとに分けられている。
【００２９】
図５は、或る商品陳列棚１５に陳列された商品が、隣の商品陳列棚１５の方向にはみ出した状態を示している。商品陳列棚１５からはみ出した商品が仕切体１７の後側部１７ｂの側面に当たることにより、後側部１７ｂは隣の商品陳列棚１５側に膨らむように撓みを生じる。仕切体１７の前側部１７ａは、撓みを生ずることなく下向きに真っ直ぐ伸びた状態に維持されている。
【００３０】
このような構成において、リーチインショーケース１では、送風ファン１０が駆動されるとともに冷却器１１が駆動されることにより、冷却器１１で冷却された冷気が吹出口１２から吹出し、吹出口１２から吹出した冷気が空間１６内を通って吸込口１３から吸込まれ、吸込口１３から吸込まれた冷気がダクト９内を通って冷却器１１に至り、冷却器１１で再び冷却される。このように、冷却器１１で冷却された冷気が空間１６内とダクト９内とを通ってショーケース本体３内を循環することにより、商品陳列棚１５に陳列されている商品が冷却される。
【００３１】
商品陳列棚１５に商品が陳列された場合、商品の一部が商品陳列棚１５から隣の商品陳列棚１５の方向にはみ出し、仕切体１７における後側部１７ｂの側面に当たる場合がある。商品陳列棚１５からはみ出した商品が後側部１７ｂの側面に当たると、仕切体１７は可撓性を有する軟質材料で形成されているので、商品が当たった後側部１７ｂは図５に示すように隣の商品陳列棚１５側に撓みを生じる。このように、隣り合って位置する商品陳列棚１５の間に仕切体１７が設けられ、商品陳列棚１５に陳列された商品が隣の商品陳列棚１５側に張り出した場合でも、張り出した商品を取り除いたり他の商品陳列棚１５に移動させたりすることなくそのまま陳列することができる。
【００３２】
一方、仕切体１７には上下方向にスリット１９が形成されているので、仕切体１７の後側部１７ｂが撓みを生じても、仕切体１７の前側部１７ａには撓みが発生ぜず、空間１６は前側部１７ａによってガラス扉４ごとの区画に仕切られた状態に維持される。
【００３３】
このため、陳列した商品が商品陳列棚１５からはみ出していない場合はもちろん、陳列した商品が商品陳列棚１５からはみ出して仕切体１７の後側部が撓みを生じている場合であっても、一つのガラス扉４が開放された場合に、陳列室１４におけるそのガラス扉４に対応する区画内に流入した外気が空間１６を通って他の区画内に流入することを防止することができる。したがって、一つのガラス扉４を開放した場合に陳列室１４全体に流入する外気の量を抑制することができ、陳列室１４に流入した外気中に含まれている水分が原因となる冷却器１１への着霜や、その水分が原因となる陳列されている商品への着霜を防止することができる。
【００３４】
ガラス扉４の開閉が原因となる冷却器１１への着霜が防止されることにより、冷却器１１の除霜のために冷却器１１を停止させる頻度が少なくなり、陳列室１４内を適温に維持して商品の品質維持を向上させることができる。また、商品への着霜が防止されることにより、商品への着霜によって商品の売れ行きが低下するということを防止することができる。
【００３５】
また、仕切体１７は透明な部材により形成されているため、商品陳列棚１５に陳列されている商品の仕切体１７を通しての視認性を向上させることができる。
【００３６】
また、仕切体１７には帯電防止処理が施されているので、静電気による仕切体１７への埃の付着を防止することができる。さらに、仕切体１７に付着した埃に水分が吸着され、その水分が凍ることにより発生する仕切体１７への着霜を防止することができる。
【００３７】
また、仕切体１７は上端側が固定されて下端側が揺動可能とされているので、仕切体１７の上端側のみを固定することにより仕切体１７を陳列室１４内に取付けることができ、陳列室１４内への仕切体１７の取付構造を簡単なものとすることができる。
【００３８】
なお、本実施の形態では、左右一対のガラス扉４を有し、１枚の仕切体１７を有する場合を例に挙げて説明したが、左右方向に３枚又はそれ以上のガラス扉を有し、陳列室をそれらのガラス扉ごとの３つ又はそれ以上の区画に仕切るために２枚又はそれ以上の仕切体を有する場合も本発明を適用することができる。
【００３９】
本発明は、前述の実施形態に限るものではなく、その要旨を逸脱しない範囲において種々変更可能である。例えば、前述の実施形態に示される全構成要素から幾つかの構成要素を削除してもよく、さらに、異なる実施形態に係る構成要素を適宜組み合わせてもよい。
【符号の説明】
【００４０】
１    リーチインショーケース
２    開口
３    ショーケース本体
４    ガラス扉
５    取手
６    底面板
７    背面板
８    天井板
９    ダクト
１０    送風ファン
１１    冷却器
１２    吹出口
１３    吸込口
１４    陳列室
１５    商品陳列棚
１６    空間
１７    仕切体
１７ａ  前側部
１７ｂ  後側部
１８    支持体
１９    スリット
【図１】
2015097560.tif 000003
【図２】
2015097560.tif 000004
【図３】
2015097560.tif 000005
【図４】
2015097560.tif 000006
【図５】
2015097560.tif 000007